(57)【要約】      （修正有）【課題】室内ユニットを基礎構造体に設置する際の自由度が向上し、汎用性に優れた空気調和装置を提供する。【解決手段】空気調和装置は、サポートフレーム８１および少なくとも一つの室内ユニット５を備えている。前記サポートフレーム８１は、複数の面を有する基礎構造体８０の少なくとも一つの面に取り付けられている。前記室内ユニット５は、冷媒と空気との間で熱交換を行なう熱交換器および送風機を有するとともに、前記サポートフレーム８１に取り外し可能に支持されている。【選択図】図７
2020118442.tif 000002
【特許請求の範囲】
【請求項１】
複数の面を有する基礎構造体の少なくとも一つの面に選択的に取り付けられるサポートフレームと、
前記サポートフレームに取り外し可能に支持され、冷媒と空気との間で熱交換を行なう熱交換器および送風機を備える少なくとも一つの室内ユニットと、を具備した空気調和装置。
【請求項２】
前記サポートフレームは、前記基礎構造体の前記面に沿って固定される第１のフレーム要素と、前記第１のフレーム要素に取り外し可能に固定される第２のフレーム要素と、を含み、前記第２のフレーム要素に前記室内ユニットが取り外し可能に支持された請求項１に記載の空気調和装置。
【請求項３】
前記基礎構造体は、互いに異なる方向を向いた複数の面を有する柱であり、前記第１のフレーム要素および前記第２のフレーム要素は、前記柱の高さ方向に沿って延びているとともに、前記第２のフレーム要素に複数の前記室内ユニットが前記柱の高さ方向に一列に並んで支持された請求項２に記載の空気調和装置。
【請求項４】
複数の前記室内ユニットを連結するサブフレームをさらに備え、当該サブフレームが前記第２のフレーム要素に取り付けられた請求項３ に記載の空気調和装置。
【請求項５】
前記サポートフレームと前記基礎構造体の前記面との間に介在された板状のカバーをさらに備えた請求項１に記載の空気調和装置。
【請求項６】
空調すべき空間に臨む複数の面を有する基礎構造体の少なくとも一つの面に取り付けられるサポートフレームと、
前記基礎構造体の前記面と向かい合うように前記サポートフレームに支持され、冷媒と空気との間で熱交換を行なう熱交換器および送風機を有するとともに、熱交換用の空気を吸い込む吸込口が形成された少なくとも一つの室内ユニットと、
前記サポートフレームに取り付けられ、前記室内ユニットと前記基礎構造体の前記面との間に前記空間から区画された空気通路を規定する複数の外装パネルと、を含み、
前記室内ユニットの前記吸込口が前記空気通路に開口された空気調和装置。
【請求項７】
前記基礎構造体は、建屋の骨格となる柱であり、前記サポートフレームは、前記柱の高さ方向に沿って延びているとともに、前記サポートフレームに複数の前記室内ユニットが前記柱の高さ方向に一列に並んで支持された請求項６ に記載の空気調和装置。
【請求項８】
前記外装パネルは、前記空気通路に臨むように前記サポートフレームに取り付けられフィルタを含み、前記室内ユニットの前記送風機が作動した状態では、前記空調すべき空間の空気が前記フィルタを介して前記空気通路に吸い込まれる請求項６又は請求項７に記載の空気調和装置。
【発明の詳細な説明】
【技術分野】
【０００１】
本発明の実施形態は、例えばスポット空調に好適する室内ユニットを備えた空気調和装置に関する。
【背景技術】
【０００２】
例えば大規模な生産工場では、工場の建屋内に分散した複数の作業エリアを局所的に冷・暖房する空気調和装置が用いられている。この種の空気調和装置は、温度や湿度が調整された空気を作業エリアに向けて吹き出す複数の室内ユニットを備えている。室内ユニットは、例えば建屋の骨格となる柱を利用して作業エリアに設置されている。
【先行技術文献】
【特許文献】
【０００３】
【特許文献１】特公昭６１−５４１３７号公報
【特許文献２】特公平７−６２５８８号公報
【発明の概要】
【発明が解決しようとする課題】
【０００４】
複数の室内ユニットを柱に設置するに際して、最近、専用のフレームを用いて室内ユニットを支えるようにした空気調和装置が開発されている。フレームは、柱を取り囲むような形態で柱の外周部に固定されている。
【０００５】
ところが、作業エリアに位置する柱には、例えば配電盤、照明器具あるいは消火栓のような各種の機器類が取り付けられていることが多い。そのため、機器類が取り付けられている柱に対しては、当該機器類が邪魔となって室内ユニットを支えるフレームを組み付けることが困難となる。
【０００６】
この結果、室内ユニットを設置し得る柱が制約されてしまい、室内ユニットを設置する際の自由度が失われるのを否めない。
【０００７】
本発明の目的は、室内ユニットを基礎構造体に設置する際の自由度が向上し、汎用性に優れた空気調和装置を得ることにある。
【課題を解決するための手段】
【０００８】
実施形態によれば、空気調和装置は、サポートフレームおよび少なくとも一つの室内ユニットを備えている。前記サポートフレームは、複数の面を有する基礎構造体の少なくとも一つの面に取り付けられている。前記室内ユニットは、冷媒と空気との間で熱交換を行なう熱交換器および送風機を有するとともに、前記サポートフレームに取り外し可能に支持されている。
【図面の簡単な説明】
【０００９】
【図１】図１は、第１の実施形態に係る空気調和装置の配管系統を示す回路図である。
【図２】図２は、第１の実施形態で用いる室内ユニットを正面の方向から見た斜視図である。
【図３】図３は、室内ユニットを背面の方向から見た斜視図である。
【図４】図４は、室内ユニットの内部構造を分解して示す斜視図である。
【図５】図５は、室内ユニットの正面図である。
【図６】図６は、室内ユニットから吹き出す空気の流れ方向を示す室内ユニットの断面図である。
【図７】図７は、第１の実施形態において、室内機アッセンブリを柱に設置した状態を示す斜視図である。
【図８】図８は、第１の実施形態において、建屋の柱にサポートフレームを固定した状態を示す斜視図である。
【図９】図９は、第１の実施形態において、建屋の柱にサポートフレームを介して室内ユニットを設置した状態を示す断面図である。
【図１０】図１０は、第１の実施形態において、建屋の柱に第１ のフレーム要素の下部構造体を固定した状態を示す斜視図である。
【図１１】図１１は、第１の実施形態において、建屋の柱に第１のフレーム要素の下部構造体および上部構造体を固定した状態を示す斜視図である。
【図１２】図１２は、第１の実施形態において、サポートフレームの第１ のフレーム要素に第２のフレーム要素を結合した状態を示す斜視図である。
【図１３】図１３は、第１の実施形態において、第２のフレーム要素の上部構造体に複数の室内ユニットを一台ずつ取り付ける過程を示す斜視図である。
【図１４】図１４は、第１の実施形態において、第２のフレーム要素の上部構造体に四台の室内ユニットを一列に並べて取り付けた状態を示す斜視図である。
【図１５】図１５は、第２の実施形態において、第２のフレーム要素の上部構造体に四台の室内ユニットを一列に並べて取り付けた状態を示す斜視図である。
【図１６】図１６は、第２の実施形態において、四台の室内ユニットが取り付けられた第２のフレーム要素の上部構造体を柱に固定された第１のフレーム要素に組み付けた状態を示す斜視図である。
【図１７】図１７は、第３の実施形態において、四台の室内ユニットおよび複数のサイドパネルが取り付けられたサポートフレームを柱に固定する状態を示す斜視図である。
【図１８】図１８は、第３の実施形態において、四台の室内ユニットおよび複数のサイドパネルが取り付けられたサポートフレームを柱に固定した状態を示す斜視図である。
【図１９】図１９は、第３の実施形態において、室内機アッセンブリを柱に設置した状態を示す斜視図である。
【図２０】図２０は、第４の実施形態において、室内機アッセンブリを柱に設置した状態を示す斜視図である。
【図２１】図２１は、第５の実施形態に係る空気調和装置の配管系統を示す回路図である。
【図２２】図２２は、第５の実施形態において、第１ないし第４の室内機アッセンブリを柱に設置した状態を示す斜視図である。
【図２３】図２３は、第５の実施形態において、第１ないし第４の室内機アッセンブリを夫々サポートフレームを介して柱に設置した状態を示す断面図である。
【発明を実施するための形態】
【００１０】
［第１の実施形態］
以下、第１の実施形態について、図１ないし図１６を参照して説明する。
【００１１】
図１は、例えば生産工場、車両工場等のような大規模な空間の局所的な冷・暖房に用いる空気調和装置１の配管系統を示す回路図である。図１に示すように、空気調和装置１は、室外機２および室内機アッセンブリ３を主要な要素として備えている。
【００１２】
室外機２は、例えば工場の建屋４の外に据え付けられ、冷媒を圧縮する圧縮機、熱交換器およびアキュームレータのような各種の冷凍サイクル機器を収容している。室内機アッセンブリ３は、建屋４の内部の作業エリアＡに設置されている。作業エリアＡは、空調すべき空間の一例である。室内機アッセンブリ３は、例えば四台の室内ユニット５を備えている。
【００１３】
液配管７およびガス配管８が室外機２に接続されている。液配管７およびガス配管８は、夫々室内機アッセンブリ３に導かれている。液配管７は、三つのＹ形分岐ジョイント９ａ，９ｂ，９ｃで分岐された四本の液管１０ａ，１０ｂ，１０ｃ，１０ｄを有している。液管１０ａ，１０ｂ，１０ｃ，１０ｄは、夫々室内ユニット５に接続されている。
【００１４】
同様に、ガス配管８は、三つのＴ形分岐ジョイント１１ａ，１１ｂ，１１ｃで分岐された四本のガス管１２ａ，１２ｂ，１２ｃ，１２ｄを有している。ガス管１２ａ，１２ｂ，１２ｃ，１２ｄは、夫々室内ユニット５に接続されている。
【００１５】
このため、室外機２で圧縮された冷媒は、室内機アッセンブリ３の室内ユニット５に分配されるとともに、室内ユニット５ から吐出された冷媒が再び室外機２ に戻されるようになっている。
【００１６】
さらに、室内機アッセンブリ３は、リモートコントローラ１３を備えている。室内機アッセンブリ３では、リモートコントローラ１３にて室内ユニット５の運転／停止、温度設定、運転切り換え等の各種の操作が実行可能となっている。
【００１７】
室内機アッセンブリ３が有する四台の室内ユニット５は、互いに共通の構成を有している。そのため、本実施形態では、一つの室内ユニット５を代表して説明する。
【００１８】
図２ないし図６に示すように、室内ユニット５は、筐体２０、空気熱交換器２１、送風機２２、制御部２３およびダクト部２４を主要な要素として備えている。筐体２０は、奥行き寸法Ｄ、幅寸法Ｗおよび高さ寸法Ｈを有する四角い箱形の要素であって、例えば薄い鋼板により形成されている。筐体２０の幅寸法Ｗおよび高さ寸法Ｈは、互いに同等であるとともに、奥行き寸法Ｄが幅寸法Ｗおよび高さ寸法Ｈよりも格段に小さく設定されている。したがって、筐体２０は、偏平な形状を有している。
【００１９】
筐体２０は、ベース２６、フロントカバー２７、トップカバー２８および仕切り板２９を有している。ベース２６は、起立されたバックパネル３０と、バックパネル３０の下端部に固定された皿状の底板３１と、で構成されている。バックパネル３０の略中央部には、四角い吸込口３２が形成されている。底板３１は、バックパネル３０の下端部から筐体２０の前方に向けて水平に突出されている。底板３１の後端部には、ドレン口３３が形成されている。ドレン口３３は、筐体２０の背後に突出されている。
【００２０】
図４に示すように、フロントカバー２７は、フロントパネル３４と、一対のサイドパネル３５ａ，３５ｂと、を有している。フロントパネル３４は、筐体２０の前面を構成する要素である。フロントパネル３４は、バックパネル３０と向かい合うとともに、フロントパネル３４の略中央部には通孔３６が形成されている。さらに、フロントパネル３４の下端部は、底板３１の前端部に複数のねじで固定されている。
【００２１】
サイドパネル３５ａ，３５ｂは、フロントパネル３４の側縁部から９０°の角度でバックパネル３０に向けて延びている。サイドパネル３５ａ，３５ｂの後端部は、バックパネル３０の両側部に複数のねじで固定されている。
【００２２】
トップカバー２８は、フロントパネル３４の上端部およびサイドパネル３５ａ，３５ｂの上端部に複数のねじで固定されている。トップカバー２８は、フロントカバー２７の上端部とバックパネル３０の上部との間の隙間を覆っている。
【００２３】
図６に示すように、仕切り板２９は、バックパネル３０の上部とフロントカバー２７の上端部との間に介在されている。仕切り板２９は、筐体２０の内部を第１の収容室３８と第２の収容室３９との二室に区画している。
【００２４】
第１の収容室３８は、第２の収容室３９よりも容積が大きいとともに、当該第１の収容室３８に筐体２０の吸込口３２および通孔３６が開口されている。筐体２０の底板３１は、第１の収容室３８の底を構成しており、当該底板３１がドレンパンとしての機能を兼ねている。第２の収容室３９は、第１の収容室３８の上方に位置され、トップカバー２８で覆われている。言い換えると、ねじを緩めてトップカバー２８のみを取り外すことで、第２の収容室３９を筐体２０の外に露出させることができる。
【００２５】
さらに、バックパネル３０の両側部に夫々ブラケット４０ａ，４０ｂが固定されている。ブラケット４０ａ，４０ｂは、筐体２０の高さ方向に延びているとともに、筐体２０の側方に張り出している。
【００２６】
図４ないし図６に示すように、空気熱交換器２１は、第１の収容室３８に収容されている。空気熱交換器２１は、フラットな板状であり、複数の冷却フィン４３および冷媒が流れる複数の伝熱管４４を備えている。冷却フィン４３は、筐体２０の高さ方向に延びた細長い四角い板であり、筐体２０の幅方向に互いに間隔を存して一列に並んでいる。伝熱管４４は、筐体２０の高さ方向および奥行方向に間隔を存して並んでいるとともに、互いに直列に接続されて複数の流路(パス)を形成している。さらに、伝熱管４４は、冷却フィン４３に熱的に接続されている。
【００２７】
本実施形態によると、空気熱交換器２１は、第１の収容室３８の内部でバックパネル３０に沿うように起立されている。これにより、空気熱交換器２１が吸込口３２を通じて筐体２０の背後に露出されている。
【００２８】
図６に最もよく示されるように、空気熱交換器２１は、上端面２１ａおよび下端面２１ｂを有している。上端面２１ａは、第１の収容室３８の内部で仕切り板２９に面している。下端面２１ｂは、ドレンパンとしての底板３１で下方から覆われている。空気熱交換器２１の上端面２１ａおよび下端面２１ｂは、夫々バックパネル３０からフロントパネル３４の方向に進むに従い下向きに傾斜されている。
【００２９】
この結果、空気熱交換器２１の上端面２１ａに結露による水滴が生じた場合、水滴は上端面２１ａの傾斜に伴ってバックパネル３０から遠ざかる方向に流れ易くなる。同様に、空気熱交換器２１の表面に生じた水滴がドレン水となって空気熱交換器２１に下端部に達した場合、ドレン水は、空気熱交換器２１の下端面２１ｂの傾斜に伴ってバックパネル３０から遠ざかる方向に流れ易くなる。
【００３０】
したがって、ドレン水がバックパネル３０の吸込口３２から筐体２０の外に流出する、所謂水漏れを防止することができる。
【００３１】
図４に示すように、空気熱交換器２１に接続された冷媒管４５が第１の収容室３８に収容されている。本実施形態では、第１の収容室３８の内部に冷媒管４５を収めるスペースを確保するため、空気熱交換器２１がフロントカバー２７のサイドパネル３５ａ，３５ｂの間で一方のサイドパネル３５ａの側に片寄っている。この結果、空気熱交換器２１と他方のサイドパネル３５ｂとの間にスペースが生じ、当該スペースに冷媒管４５が集中して配置されている。
【００３２】
図３に示すように、室内ユニット５は、冷媒管４５に接続された一対の接続口４６ａ，４６ｂを有している。接続口４６ａ，４６ｂは、バックパネル３０を貫通して筐体２０の背後に突出されており、当該接続口４６ａ，４６ｂに液管１０ａおよびガス管１２ａが接続されるようになっている。
【００３３】
さらに、図５に示すように、空気熱交換器２１が一方のサイドパネル３５ａの側に片寄っていることに伴い、空気熱交換器２１の中心Ｃ１は、フロントカバー２７のフロントパネル３４の中心Ｃ２から横にずれている。フロントパネル３４に開口された通孔３６の中心は、空気熱交換器２１の中心Ｃ１の延長線上に位置されている。
【００３４】
図４および図５に示すように、送風機２２は、筐体２０のフロントパネル３４の中央部に支持されている。送風機２２は、円筒状のケーシング５０と、ケーシング５０の内部に収容された羽根車５１と、を主要な要素として備えている。
【００３５】
ケーシング５０は、第１のフランジ部５２および第２のフランジ部５３を有している。第１のフランジ部５２は、ケーシング５０の一端においてケーシング５０の径方向に沿う外側に張り出している。第２のフランジ部５３は、ケーシング５０の他端においてケーシング５０の径方向に沿う外側に張り出している。第１のフランジ部５２は、通孔３６に対応した位置でフロントパネル３４に複数のねじで固定されている。
【００３６】
羽根車５１は、空気熱交換器２１の中心Ｃ１の延長線上に同軸状に位置するようにケーシング５０に回転自在に支持されている。羽根車５１のボス部５５は、羽根車５１を回転させるモータ５６を内蔵している。
【００３７】
制御部２３は、空気熱交換器２１および送風機２２を制御するための要素であって、筐体２０の第２の収容室３９に収容されている。制御部２３は、例えば制御基板、リアクタおよび複数の端子台のような各種の電装品５８を含んでいる。電装品５８は、バックパネル３０の上部に支持されている。
【００３８】
図４および図６に示すように、円筒状のアタッチメント６０が送風機２２に取り付けられている。アタッチメント６０は、一端にフランジ部６１を有している。フランジ部６１は、送風機２２の第２のフランジ部５３に複数のねじで固定されている。これにより、アタッチメント６０は、送風機２２のケーシング５０から筐体２０の前方に向けて同軸状に突出されている。
【００３９】
円筒状の通気レジスター６２がアタッチメント６０に嵌め込まれている。通気レジスター６２は、送風機２２から送風される空気量を調整したり、送風方向を任意に変更するための要素であって、アタッチメント６０から筐体２０の前方に向けて同軸状に突出されている。
【００４０】
図４および図６に示すように、ダクト部２４は、円筒状の外筒６５を有している。外筒６５は、送風機２２、アタッチメント６０および通気レジスター６２を連続して覆う要素であって、その軸方向に沿う一端にフランジ部６６が形成されている。フランジ部６６は、外筒６５の周方向に連続するとともに、外筒６５の径方向に沿う外側に張り出している。フランジ部６６は、複数のねじでフロントパネル３４に取り外し可能に支持されている。
【００４１】
外筒６５は、送風機２２、アタッチメント６０および通気レジスター６２を取り囲んだ状態でフロントパネル３４から筐体２０の前方に向けて水平に突出されている。図６に示すように、外筒６５の中心を通る軸線Ｏ１は、空気熱交換器２１の中心Ｃ１を貫通している。
【００４２】
外筒６５の突出端は、通気レジスター６２よりも筐体２０の前方に位置されている。外筒６５の突出端にガイド壁６７が形成されている。ガイド壁６７は、外筒６５の周方向に連続するとともに、外筒６５の径方向に沿う内側に向けて張り出している。ガイド壁６７は、外筒６５の突出端に円形の吹き出し口６８を規定している。吹き出し口６８は、通気レジスター６２を介して送風機２２と向かい合っている。
【００４３】
図６に最もよく示されるように、ダクト部２４の外筒６５は、送風機２２、アタッチメント６０および通気レジスター６２との間に通風路７０を規定している。通風路７０の一端は、筐体２０のフロントパネル３４に達している。通風路７０の他端は、ガイド壁６７によって閉じられている。
【００４４】
通風路７０の一端が臨む筐体２０のフロントパネル３４に複数の空気戻し孔７１が形成されている。空気戻し孔７１は、送風機２２の周囲に位置されているとともに、筐体２０の第１の収容室３８に開口されている。そのため、通風路７０の一端は、送風機２２の上流側に連通されている。さらに、本実施形態では、通風路７０に臨む外筒６５の内面およびガイド壁６７の内面が断熱材７２で覆われている。
【００４５】
図７に示すように、四台の室内ユニット５を有する室内機アッセンブリ３は、建屋４の骨格となる既存の柱８０の外周部に専用のサポートフレーム８１を用いて設置されている。
【００４６】
柱８０は、基礎構造体の一例であって、建屋４の床面Ｆから垂直に起立されている。本実施形態によると、柱８０は、 第１ないし第４の面８０ａ，８０ｂ，８０ｃ，８０ｄを有する四角柱である。第１ないし第４の面８０ａ，８０ｂ，８０ｃ，８０ｄは、建屋４内の作業エリアＡに臨むとともに、互いに異なる四方向を指向している。第１ないし第４の面８０ａ，８０ｂ，８０ｃ，８０ｄは、基本的に凹凸のないフラットな面であるが、数多くの孔が開いていたり、数多くの凹みが存在する場合があり得る。
【００４７】
本実施形態では、柱８０の第２の面８０ｂの下部に消火栓８２が配置されている。さらに、柱８０の第３の面８０ｃの下部に配電盤８３が配置されている。消火栓８２および配電盤８３は、夫々柱８０の周囲に張り出している。
【００４８】
図８および図９に示すように、サポートフレーム８１は、消火栓８２および配電盤８３を避けるように柱８０の第１の面８０ａの下部に選択的に取り付けられている。柱８０の第１の面８０ａのうちサポートフレーム８１が取付けられる領域は、複数のカバー８４で覆われている。各カバー８４は、例えば四角いフラットな金属板で構成され、柱８０の高さ方向に連続するように一列に並べられている。
【００４９】
サポートフレーム８１は、第１のフレーム要素８５および第２のフレーム要素８６を備えている。第１のフレーム要素８５は、下部構造体８７と上部構造体８８とに二つに分割されている。
【００５０】
第１のフレーム要素８５の下部構造体８７は、一対の縦桟９０ａ，９０ｂと、一対の横桟９１ａ，９１ｂと、を備えている。縦桟９０ａ，９０ｂは、柱８０の第１の面８０ａの幅方向に沿う両側部に対応した位置で柱８０に沿うように起立している。言い換えると、縦桟９０ａ，９０ｂは、第１の面８０ａの幅方向に間隔を存して互いに平行に配置されている。縦桟９０ａ，９０ｂの配置間隔は、第１の面８０ａの幅寸法と略一致している。
【００５１】
縦桟９０ａ，９０ｂは、例えばＬ形の断面形状を有する山形鋼で構成され、互いに直交し合う第１の支持部９２ａおよび第２の支持部９２ｂを含んでいる。第１の支持部９２ａおよび第２の支持部９２ｂは、柱８０の高さ方向に延びた細長いフラットな板状の要素である。
【００５２】
一方の縦桟９０ａの第１の支持部９２ａは、柱８０の第１の面８０ａを覆うカバー８４と向かい合うように起立している。一方の縦桟９０ａの第２の支持部９２ｂは、柱８０の第２の面８０ｂに連続するように起立している。同様に、他方の縦桟９０ｂの第１の支持部９２ａは、柱８０の第１の面８０ａを覆うカバー８４と向かい合うように起立している。他方の縦桟９０ｂの第２の支持部９２ｂは、柱８０の第４の面８０ｄに連続するように起立している。
【００５３】
横桟９１ａ，９１ｂは、例えば溝形鋼で構成されている。一方の横桟９１ａは、縦桟９０ａ，９０ｂの上端部の間に水平に架け渡されている。横桟９１ａの長手方向に沿う両端部は、縦桟９０ａ，９０ｂの上端部に例えば複数のねじ又はボルトで結合されている。
【００５４】
他方の横桟９１ｂは、縦桟９０ａ，９０ｂの下端部の間に水平に架け渡されている。横桟９１ｂの長手方向に沿う両端部は、縦桟９０ａ，９０ｂの下端部に例えば複数のねじ又はボルトで結合されている。この結果、下部構造体８７は、柱８０の高さ方向に沿うような四角い枠状に組み立てられている。
【００５５】
下部構造体８７の横桟９１ａ，９１ｂは、夫々第１の面８０ａを覆うカバー８４に突き合わされるとともに、複数のねじのような締結具９３を用いて第１の面８０ａに固定されている。締結具９３は、横桟９１ａ，９１ｂおよびカバー８４を貫通して柱８０にねじ込まれている。そのため、横桟９１ａ，９１ｂは、カバー８４と一緒に柱８０に結合されており、カバー８４が柱８０と横桟９１ａ，９１ｂとの間に介在されている。
【００５６】
この結果、第１のフレーム要素８５の下部構造体８７は、柱８０の第１の面８０ａに沿うような形態で建屋４の床面Ｆから垂直に起立した姿勢に保持されている。
【００５７】
図８、図９および図１１に示すように、第１のフレーム要素８５の上部構造体８８は、一対の縦桟９５ａ，９５ｂと、一つの横桟９６と、を備えている。縦桟９５ａ，９５ｂは、柱８０の第１の面８０ａの幅方向に沿う両側部に対応した位置で柱８０に沿うように起立している。言い換えると、縦桟９５ａ，９５ｂは、柱８０の第１の面８０ａの幅方向に間隔を存して互いに平行に配置されている。縦桟９５ａ，９５ｂの配置間隔は、第１の面８０ａの幅寸法と略一致している。
【００５８】
縦桟９５ａ，９５ｂは、例えばＬ形の断面形状を有する山形鋼で構成され、互いに直交し合う第３の支持部９８ａおよび第４の支持部９８ｂを含んでいる。第３の支持部９８ａおよび第４の支持部９８ｂは、柱８０の高さ方向に延びたフラットな板状の要素である。
【００５９】
一方の縦桟９５ａの第３の支持部９８ａは、第１の面８０ａを覆うカバー８４と向かい合うように起立している。一方の縦桟９５ａの第４の支持部９８ｂは、柱８０の第２の面８０ｂに連続するように起立している。同様に、他方の縦桟９５ｂの第３の支持部９８ａは、第１の面８０ａを覆うカバー８４と向かい合うように起立している。他方の縦桟９５ｂの第４の支持部９８ｂは、柱８０の第４の面８０ｄに連続するように起立している。
【００６０】
横桟９６は、例えば溝形鋼で構成されている。横桟９６は、縦桟９５ａ，９５ｂの上端部の間に水平に架け渡されている。横桟９６の長手方向に沿う両端部は、縦桟９５ａ，９５ｂの上端部に例えば複数のねじ又はボルトで結合されている。
【００６１】
上部構造体８８の横桟９６は、第１の面８０ａを覆うカバー８４に突き合わされるとともに、下部構造体８７と同様に複数の締結具９３を用いて第１の面８０ａに固定されている。締結具９３は、横桟９６およびカバー８４を貫通して柱８０にねじ込まれている。そのため、横桟９６は、カバー８４と一緒に柱８０に結合されており、カバー８４が柱８０と横桟９６との間に介在されている。
【００６２】
この結果、第１のフレーム要素８５の上部構造体８８は、柱８０の第１の面８０ａに沿うような形態で下部構造体８７の上端から垂直に起立した姿勢に保持されている。
【００６３】
さらに、本実施形態では、上部構造体８８の縦桟９５ａ，９５ｂの下端部が下部構造体８７の縦桟９０ａ，９０ｂの上端部の内側に嵌合されるとともに、例えば複数のねじ又はボルトで縦桟９０ａ，９０ｂに結合されている。これにより、下部構造体８７と上部構造体８８とが一体構造物として組み立てられている。
【００６４】
図８および図１２に示すように、第２のフレーム要素８６は、下部構造体１００と上部構造体１０１とに二つに分割されている。第２のフレーム要素８６の下部構造体１００は、一対の縦桟１０２ａ，１０２ｂと、一対の横桟１０３ａ，１０３ｂと、二組の支持ステー１１１ａ，１１１ｂと、を備えている。縦桟１０２ａ，１０２ｂは、第１のフレーム要素８５の下部構造体８７を構成する縦桟９０ａ，９０ｂと向かい合う位置で柱８０の高さ方向に沿うように起立している。そのため、縦桟１０２ａ，１０２ｂは、互いに間隔を存して平行に配置されている。
【００６５】
縦桟１０２ａ，１０２ｂは、例えばＬ形の断面形状を有する山形鋼で構成され、互いに直交し合う第５の支持部１０４ａおよび第６の支持部１０４ｂを含んでいる。第５の支持部１０４ａおよび第６の支持部１０４ｂは、柱８０の高さ方向に延びたフラットな板状の要素である。
【００６６】
一方の縦桟１０２ａの第５の支持部１０４ａは、縦桟９０ａの第１の支持部９２ａと向かい合うように起立している。一方の縦桟１０２ａの第６の支持部１０４ｂは、縦桟９０ａの第２の支持部９２ｂから離れた位置で起立している。同様に、他方の縦桟１０２ｂの第５の支持部１０４ａは、縦桟９０ｂの第１の支持部９２ａと向かい合うように起立している。他方の縦桟１０２ｂの第６の支持部１０４ｂは、縦桟９０ｂの第２の支持部９２ｂから離れた位置で起立している。
【００６７】
横桟１０３ａ，１０３ｂは、例えば溝形鋼で構成されている。一方の横桟１０３ａは、縦桟１０２ａ，１０２ｂの上端部の間に水平に架け渡されている。横桟１０３ａの長手方向に沿う両端部は、縦桟１０２ａ，１０２ｂの上端部に例えば複数のねじ又はボルトで結合されている。
【００６８】
他方の横桟１０３ｂは、縦桟１０２ａ，１０２ｂの下端部の間に水平に架け渡されている。横桟１０３ｂの長手方向に沿う両端部は、縦桟１０２ａ，１０２ｂの下端部に例えば複数のねじ又はボルトで結合されている。このため、下部構造体１００は、柱８０の高さ方向に沿う四角い枠状に組み立てられている。
【００６９】
図１２に示すように、支持ステー１１１ａ，１１１ｂは、夫々例えばＬ形の断面形状を有する山形鋼で構成されている。一方の支持ステー１１１ａは、横桟１０３ａと第１のフレーム要素８５の下部構造体８７を構成する横桟９１ａとの間に架け渡されている。支持ステー１１１ａの長手方向に沿う両端部は、横桟１０３ａ，９１ａの上面部に例えば複数のねじ又はボルトで結合されている。
【００７０】
他方の支持ステー１１１ｂは、横桟１０３ｂと第１のフレーム要素８５の下部構造体８７を構成する横桟９１ｂとの間に架け渡されている。支持ステー１１１ｂの長手方向に沿う両端部は、横桟１０３ｂ，９１ｂの上面部に例えば複数のねじ又はボルトで結合されている。このため、第２のフレーム要素８６の下部構造体１００は、第１のフレーム要素８５の下部構造体８７に固定される。
【００７１】
図８、図９および図１２に示すように、第２のフレーム要素８６の上部構造体１０１は、一対の前側縦桟１０６ａ，１０６ｂと、一対の後側縦桟１０６ｃ，１０６ｄと、一対の横桟１０７ａ，１０７ｂと、一組の支持ステー１１１ｃと、備えている。
【００７２】
後側縦桟１０６ｃ，１０６ｄは、第１のフレーム要素８５の上部構造体８７を構成する縦桟９５ａ，９５ｂと向かい合う位置で柱８０の高さ方向に沿うように起立している。そのため、後側縦桟１０６ｃ，１０６ｄは、互いに間隔を存して平行に配置されている。
【００７３】
後側縦桟１０６ｃ，１０６ｄは、例えばＬ形の断面形状を有する山形鋼で構成され、互いに直交し合う第７の支持部１１０ａおよび第８の支持部１１０ｂを含んでいる。第７の支持部１１０ａおよび第８の支持部１１０ｂは、柱８０の高さ方向に延びたフラットな板状の要素である。
【００７４】
一方の後側縦桟１０６ｃの第７の支持部１１０ａは、縦桟９５ａの第３の支持部９８ａに面して起立している。一方の後側縦桟１０６ｃの第８の支持部１１０ｂは、縦桟９５ａの第４の支持部９８ｂと並ぶように起立している。同様に、他方の後側縦桟１０６ｄの第７の支持部１１０ａは、縦桟９５ｂの第３の支持部９８ａに面して起立している。他方の後側縦桟１０６ｄの第８の支持部１１０ｂは、縦桟９５ｂの第４の支持部９８ｂと並ぶように起立している。
【００７５】
後側縦桟１０６ｃ，１０６ｄは、夫々第１のフレーム要素８５の上部構造体８７を構成する縦桟９５ａ，９５ｂに対し例えば複数のねじ又はボルトで結合されている。
【００７６】
前側縦桟１０６ａ，１０６ｂは、後側縦桟１０６ｃ，１０６ｄと向かい合う位置で柱８０の高さ方向に沿うように起立している。そのため、前側縦桟１０６ａ，１０６ｂは、互いに間隔を存して平行に配置されている。
【００７７】
前側縦桟１０６ａ，１０６ｂは、後側縦桟１０６ｃ，１０６ｄと同様に、例えばＬ形の断面形状を有する山形鋼で構成され、互いに直交し合う第７の支持部１１０ａおよび第８の支持部１１０ｂを含んでいる。第７の支持部１１０ａおよび第８の支持部１１０ｂは、柱８０の高さ方向に延びたフラットな板状の要素である。
【００７８】
一方の前側縦桟１０６ａの第７の支持部１１０ａは、後側縦桟１０６ｃの第７の支持部１１０ａと向かい合うように起立している。一方の前側縦桟１０６ａの第８の支持部１１０ｂは、後側縦桟１０６ｃの第８の支持部１１０ｂから離れた位置で起立している。同様に、他方の前側縦桟１０６ｂの第７の支持部１１０ａは、後側縦桟１０６ｄの第７の支持部１１０ａと向かい合うように起立している。他方の前側縦桟１０６ｂの第８の支持部１１０ｂは、後側縦桟１０６ｄの第８の支持部１１０ｂから離れた位置で起立している。
【００７９】
横桟１０７ａ，１０７ｂは、例えば溝形鋼で構成されている。一方の横桟１０７ａは、前側縦桟１０６ａ，１０６ｂの上端部の間に水平に架け渡されている。横桟１０７ａの長手方向に沿う両端部は、前側縦桟１０６ａ，１０６ｂの上端部に例えば複数のねじ又はボルトで結合されている。
【００８０】
他方の縦桟１０７ｂは、前側縦桟１０６ａ，１０６ｂの中間部の間に水平に架け渡されている。横桟１０７ｂの長手方向に沿う両端部は、前側縦桟１０６ａ，１０６ｂの中間部に例えば複数のねじ又はボルトで結合されている。この結果、上部構造体１０１は、柱８０の高さ方向に沿うような四角い枠状に組み立てられている。
【００８１】
図８に示すように、上部構造体１０１の前側縦桟１０６ａ，１０６ｂの下端部は、下部構造体１００の縦桟１０２ａ，１０２ｂの上端部の内側に嵌合されるとともに、例えば複数のねじ又はボルトで縦桟１０２ａ，１０２ｂに結合されている。
【００８２】
図１２に示すように、支持ステー１１１ｃは、前記支持ステー１１１ａ，１１１ｂと同様に、例えばＬ形の断面形状を有する山形鋼で構成されている。支持ステー１１１ｃは、横桟１０７ａと第１のフレーム要素８５の上部構造体８８を構成する横桟９６との間に架け渡されている。支持ステー１１１ｃの長手方向に沿う両端部は、横桟１０７ａ，９６の上面部に複数のねじ又はボルトで結合されている。
【００８３】
図８および図９に示すように、前側縦桟１０６ａ，１０６ｂは、夫々一対の支持ステー１１２を備えている。支持ステー１１２は、例えば溝形鋼で構成されている。支持ステー１１２は、前側縦桟１０６ａ，１０６ｂの長手方向に互いに離れているとともに、当該縦桟１０６ａ，１０６ｂに対し例えば複数のねじ又はボルトで結合されている。
【００８４】
支持ステー１１２は、前側縦桟１０６ａ，１０６ｂから後側縦桟１０６ｃ，１０６ｄに向けて水平に突出されている。支持ステー１１２の突出端は、後側縦桟１０６ｃ，１０６ｄに対し例えば複数のねじ又はボルトで結合されている。
【００８５】
この結果、第２のフレーム要素８６は、支持ステー１１２の長さに対応した距離だけ第１のフレーム要素８５から離れているとともに、縦桟１０２ａ，１０２ｂの第５の支持部１０４ａおよび前側縦桟１０６ａ，１０６ｂの第７の支持部１１０ａが柱８０の第１の面８０ａと平行に配置されている。
【００８６】
図８、図９および図１２に示すように、前側縦桟１０６ａ，１０６ｂの第７の支持部１１０ａには、前記室内ユニット５のブラケット４０ａ，４０ｂを受け止める一対の固定部材１２０ａ，１２０ｂが取り付けられている。固定部材１２０ａ，１２０ｂは、例えばＬ形の断面形状を有する山形鋼で構成され、夫々第９の支持部１２１ａを有している。第９の支持部１２１ａは、柱８０の高さ方向に延びたフラットな板状の要素であって、前側縦桟１０６ａ，１０６ｂの前面側に位置されている。
【００８７】
図７に示すように、四台の室内ユニット５を有する室内機アッセンブリ３は、第２のフレーム要素８６の上部構造体１０１に取り外し可能に支持されている。具体的に述べると、各室内ユニット５のブラケット４０ａ，４０ｂが固定部材１２０ａ，１２０ｂの第９の支持部１２１ａに例えば複数のねじ又はボルトで固定されている。これにより、四台の室内ユニット５は、柱８０の高さ方向に沿って一列に並んでいるとともに、各室内ユニット５の筐体２０のバックパネル３０が柱８０の第１の面８０ａを覆うカバー８４と向かい合っている。
【００８８】
図９に示すように、室内ユニット５が第２のフレーム要素８６の上部構造体１０１に固定された状態では、室内ユニット５のダクト部２４が柱８０の第１の面８０ａから遠ざかる方向に水平に突出されている。
【００８９】
それとともに、四台の室内ユニット５の筐体２０は、柱８０の第１の面８０ａから離れており、筐体２０のバックパネル３０と第１の面８０ａを覆うカバー８４との間に隙間Ｇが形成されている。隙間Ｇは、柱８０の高さ方向に延びた細長い形状を有している。
【００９０】
図７に示すように、複数のサイドパネル１３１、１つのフロントパネル１３２、１つのトップカバー１３３および一つのフィルタ１３４がサポートフレーム８１に取り付けられている。サイドパネル１３１、フロントパネル１３２、トップカバー１３３およびフィルタ１３４は、夫々外装パネルの一例である。
【００９１】
サイドパネル１３１は、第１のフレーム要素８５の縦桟９０ａ，９０ｂの第２の支持部９２ｂと第２のフレーム要素８６の縦桟１０２ａ，１０２ｂの第６の支持部１０４ｂとの間、ならびに第１のフレーム要素８５の縦桟９５ａ，９５ｂの第４の支持部９８ｂと第２のフレーム要素８６の前側縦桟１０６ａ，１０６ｂの第８の支持部１１０ｂとの間に跨るように、複数のねじ又はボルトでサポートフレーム８１に取り付けられている。サイドパネル１３１は、柱８０の高さ方向に沿って一列に並んでいるとともに、隙間Ｇを間に挟んで互いに向かい合っている。
【００９２】
フロントパネル１３２は、四角い板状の要素であって、第２のフレーム要素８６を構成する縦桟１０２ａ，１０２ｂの間に跨るように、当該縦桟１０２ａ，１０２ｂの第５の支持部１０４ａの前面に例えば複数のねじ又はボルトで取り付けられている。そのため、フロントパネル１３２は、室内機アッセンブリ３の下方に位置されている。室内機アッセンブリ３とフロントパネル１３２との間の隙間は、第２のフレーム要素８６の横桟１０３ａで塞がれている。
【００９３】
トップカバー１３３は、第１のフレーム要素８５の上部構造体８８の上端と第２のフレーム要素８６の上部構造体１０１の上端部との間に跨るように、例えば複数のねじ又はボルトを用いてサポートフレーム８１に取り付けられている。トップカバー１３３は、最上位に位置されたサイドパネル１３１の上端および最上位の室内ユニット５の筐体２０に対し隙間なく連続している。
【００９４】
フィルタ１３４は、フロントパネル１３２と互換性を有している。フィルタ１３４は、四角い外枠１３５と、空気を濾過するフィルタエレメント１３６と、を備えている。外枠１３５は、第２のフレーム要素８６を構成する縦桟１０２ａ，１０２ｂの間に跨るように、当該縦桟１０２ａ，１０２ｂの第５の支持部１０４ａの前面に例えば複数のねじ又はボルトで取り付けられている。外枠１３５の上縁は、フロントパネル１３２の下縁に隙間なく突き合わされている。外枠１３５の下縁と建屋４の床面Ｆとの間の隙間は、巾木１３７で塞がれている。
【００９５】
フィルタエレメント１３６は、四角い板状の要素であって、外枠１３５に取り外し可能に支持されている。
【００９６】
サイドパネル１３１、フロントパネル１３２、トップカバー１３３およびフィルタ１３４は、前記隙間Ｇを取り囲むことで柱８０との間に図９に示すような空気通路２００を規定している。空気通路２００は、柱８０に沿うように起立されている。空気通路２００は、建屋４の内部の作業エリアＡから区画されているとともに、フィルタ１３４を介して作業エリアＡに通じている。
【００９７】
柱８０の第１の面８０ａを覆うカバー８４は、空気通路２００に露出されるとともに、当該空気通路２００の内壁面の一部を構成している。さらに、全ての室内ユニット５の吸込口３２は、空気通路２００に開口されている。
【００９８】
空気通路２００は、室内ユニット５に接続された液配管７およびガス配管８、室内ユニット５のドレン口３３に接続されたドレンパイプ１２３ならびに室内ユニット５の制御部２３に電気的に接続されたハーネス１２４を通すスペースとしての機能を兼ねている。液配管７、ガス配管８、ドレンパイプ１２３およびハーネス１２４は、空気通路２００からトップカバー１３３の上壁を貫通して柱８０の上部に引き回されている。
【００９９】
次に、サポートフレーム８１を用いて室内機アッセンブリ３を柱８０に設置する手順について説明する。
【０１００】
最初に図１０に示すように、柱８０の第１の面８０ａの下部に第１のフレーム要素８５の下部構造体８７を複数のカバー８４と共に固定する。引き続き、図１１に示すように、第１のフレーム要素８５の上部構造体８８の下端を下部構造体８７の上端に結合するとともに、当該上部構造体８８を複数のカバー８４と共に柱８０の第１の面８０ａに固定する。これにより、サポートフレーム８１の第１のフレーム要素８５が柱８０に沿って起立した形態で柱８０の第１の面８０ａに直付けされる。
【０１０１】
この後、図１２に示すように、第２のフレーム要素８６の下部構造体１００と第１のフレーム要素８５の下部構造体８７を支持ステー１１１ａ，１１１ｂにより結合する。
【０１０２】
引き続き、第２のフレーム要素８６の上部構造体１０１を構成する後側縦桟１０６ｃ，１０６ｄを、第１のフレーム要素８５の上部構造体８８を構成する縦桟９５ａ，９５ｂに固定する。
【０１０３】
この後、第２のフレーム要素８６の上部構造体１０１を構成する前側縦桟１０６ａ，１０６ｂを、当該前側縦桟１０６ａ，１０６ｂから突出された複数の支持ステー１１２を介して後側縦桟１０６ｃ，１０６ｄに結合する。
【０１０４】
この後、第２のフレーム要素８６の上部構造体１０１を構成する前側縦桟１０６ａ，１０６ｂに固定部材１２０ａ，１２０ｂを固定する。
【０１０５】
この結果、第２のフレーム要素８６が柱８０の第１の面８０ａから張り出した形態で柱８０に直付けされ、柱８０に対するサポートフレーム８１の組み付けが完了する。
【０１０６】
この後、図１３に示すように、複数の室内ユニット５を一台ずつ第２のフレーム要素８６の上部構造体１０１に取り付ける。具体的には、室内ユニット５のブラケット４０ａ，４０ｂを例えば複数のねじ又はボルトで固定部材１２０ａ，１２０ｂの第９の支持部１２１ａに取り付ける。
【０１０７】
図１４は、四台の室内ユニット５を第２のフレーム要素８６の上部構造体１０１に取り付けた状態を示している。四台の室内ユニット５は、柱８０の高さ方向に沿って一列に並んでいる。
【０１０８】
上部構造体１０１に対する四台の室内ユニット５の取り付けが完了したら、サポートフレーム８１にサイドパネル１３１、フロントパネル１３２、トップカバー１３３およびフィルタ１３４を取り付ける。
【０１０９】
これにより、図７に示すように、柱８０に対する室内機アッセンブリ３の設置作業が完了する。
【０１１０】
このような第１の実施形態において、室内機アッセンブリ３の室内ユニット５が作動を開始すると、室内ユニット５の送風機２２が通孔３６を通じて筐体２０の第１の収容室３８内の空気を吸い込む。これにより、筐体２０の吸込口３２に負圧が作用する。
【０１１１】
吸込口３２は、柱８０と筐体２０との間に区画された空気通路２００に開口されているので、建屋４の内部の空気がフィルタ１３４を経て空気通路２００に吸い込まれる。フィルタ１３４は、室内機アッセンブリ３の下方に位置するように第２のフレーム要素８６の下部構造体１００に取り付けられている。このため、作業エリアＡの床面Ｆの付近の空気が空気通路２００に吸い込まれる。
【０１１２】
空気通路２００から送風機２２に吸い込まれる空気は、空気熱交換器２１を通過する。空気熱交換器２１は、送風機２２に向かう空気と伝熱管４４を流れる冷媒との熱交換により、送風機２２に向かう空気を冷気もしくは暖気に換える。熱交換された空気は、通気レジスター６２を通過した後、ダクト部２４の吹き出し口６８から作業エリアＡに向けて水平に吹き出す。
【０１１３】
この結果、熱交換された空気を柱８０の第１の面８０ａの側から作業エリアＡに送出することができ、作業エリアＡの局所的な空調あるいは柱８０を利用した成層空調が可能となる。
【０１１４】
本実施形態によると、通気レジスター６２を通過して吹き出し口６８に向かう空気の一部は、図６に破線の矢印で示すように、吹き出し口６８を規定するガイド壁６７により通風路７０に案内される。通風路７０は、筐体２０の前面に開口された空気戻し孔７１を介して送風機２１の上流側に通じている。このため、通風路７０に案内された空気は、空気戻し孔７１から第１の収容室３８を経由して送風機２２に吸い込まれる。
【０１１５】
これにより、通気レジスター６２を通過した空気の一部が通風路７０を通って筐体２０の方向に戻る。言い換えると、通気レジスター６２の外周面が空気熱交換器２１で熱交換された空気の流れに直に晒されることになり、通気レジスター６２の外周面と内周面との間の温度差が少なくなる。
【０１１６】
この結果、例えば高温・高湿の条件下において、冷房運転に伴う冷気が通気レジスター６２を通過しても、通気レジスター６２の外周面に結露が生じ難くなる。加えて、通風路７０に臨む外筒６５の内面およびガイド壁６７の内面は、断熱材７２で覆われているので、外筒６５の外周面に結露が生じるのを防止できる。
【０１１７】
よって、冷房運転時にダクト部２４の吹き出し口６８から水滴が吹き出す、所謂水飛びを防止できるとともに、外筒６５から水滴が滴下する現象を回避することができる。
【０１１８】
第１の実施形態によると、四台の室内ユニット５を柱８０に固定するサポートフレーム８１は、柱８０の第１の面８０ａにカバー８４と共に直付けされている。このため、柱８０の第２の面８０ｂに消火栓８２が配置されていたり、第３の面８０ｃに配電盤８３が配置されている場合でも、当該柱８０に室内ユニット５を設置することができる。
【０１１９】
言い換えると、消火栓８２や配電盤８３から外れた柱８０の第１の面８０ａをサポートフレーム８１の設置面として選択することができ、柱８０にサポートフレーム８１を組み付けるに際して、消火栓８２や配電盤８３が邪魔とならずに済む。よって、柱８０に室内ユニット５を設置する上での自由度が向上し、汎用性に優れた空気調和装置１を提供することができる。
【０１２０】
しかも、本実施形態では、サポートフレーム８１は、複数のカバー８４と一緒に柱８０の第１の面８０ａに直付けされ、当該カバー８４が空気通路２００の内壁面の一部を構成している。
【０１２１】
この構成によれば、例えば柱８０がトラス構造を採用していたり、あるいは柱８０の第１ないし第４の面８０ａ，８０ｂ，８０ｃ，８０ｄに多数の孔が開いているような中空の構造物であったとしても、柱８０の内側の空間と空気通路２００との間をカバー８４で仕切ることができる。
【０１２２】
この結果、室内ユニット５が作動した状態において、柱８０の内側の空気がフィルタ１３４を通過することなく空気通路２００に直に流入するのを防止できる。これにより、室内ユニット５は、フィルタ１３４で浄化された空気を吸い込むので、室内ユニット５の空気熱交換器２１に塵埃が付着し難くなる。
【０１２３】
加えて、サポートフレーム８１と柱８０との間に介在された金属製のカバー８４が一種の強度メンバーとしての機能を発揮するので、当該カバー８４を利用して柱８０およびサポートフレーム８１の双方を補強することができる。したがって、四台の室内ユニット５を有する室内機アッセンブリ３を柱８０に対し強固に固定することができ、耐振強度を十分に確保できる。
【０１２４】
室内機アッセンブリ３は、第２のフレーム要素８６の上部構造体１０１に取り付けることに限定されない。例えば、室内機アッセンブリ３を第２のフレーム要素８６の下部構造体１００に取り付け、フロントパネル１３２およびフィルタ１３４を第２のフレーム要素８６の上部構造体１０１に取り付けてもよい。
【０１２５】
この構成によれば、四台の室内ユニット５が建屋４の床面Ｆから柱８０の高さ方向に沿って一列に並んだ状態となるので、室内ユニット５で空調された空気を作業エリアＡの低い位置から床面Ｆと平行に吹き出すことができる。この結果、床面Ｆの付近に滞留した空気を建屋４の上方に向けて押し上げる成層空調が可能となり、作業エリアＡの全体の温度差を少なく抑えることができる。
【０１２６】
第１の実施形態では、柱８０の第１の面８０ａにサポートフレーム８１を介して室内機アッセンブリ３を設置したが、これに限定されるものではない。
【０１２７】
例えば、消火栓８２や配電盤８３から外れた柱８０の第４の面８０ｄが作業エリアＡに面している場合は、第４の面８０ｄに別のサポートフレーム８１を用いて室内機アッセンブリ３を設置してもよい。すなわち、柱８０を中心に二方向に空調された空気を吹き出すようにしてもよく、空気の吹き出し方向に特に制約はない。
【０１２８】
さらに、柱８０に対する室内ユニット５、フロントパネル１３２およびフィルタ１３４の位置に特に制約はなく、例えば柱８０に付設された消火栓８２の位置あるいは空調すべき作業エリアＡの環境等に応じて室内ユニット５、フロントパネル１３２およびフィルタ１３４の位置を柱８０の高さ方向に適宜変更することができる。
【０１２９】
［第２の実施形態］
図１５および図１６は、第２の実施形態を開示している。
【０１３０】
第２の実施形態は、四台の室内ユニット５を有する室外機アッセンブリ３が柱８０に設置する以前に予め一体構造物として組み立てられている点が第１の実施形態と相違している。これ以外の室外機アッセンブリ３の構成は、第１の実施形態と同様である。
【０１３１】
図１５に示すように、四台の室内ユニット５は、夫々の筐体２０の両側部から張り出すブラケット４０ａ，４０ｂが第２のフレーム要素８６の上部構造体１０１を構成する固定部材１２０ａ，１２０ｂに複数のねじ又はボルトで固定されている。
【０１３２】
この際、固定部材１２０ａ，１２０ｂ、上部構造体１０１から分離された状態にあり、四台の室内ユニット５を連結する一種のサブフレームとしての機能を発揮している。
【０１３３】
したがって、四台の室内ユニット５は、固定部材１２０ａ，１２０ｂの長手方向に一列に並んだ状態で固定部材１２０ａ，１２０ｂに支持され、１つのサブアッセンブリ３００として組み立てられている。
【０１３４】
図１６に示すように、四台の室内ユニット５が固定部材１２０ａ，１２０ｂに固定されたサブアッセンブリ３００は、予め柱８０に取り付けられたサポートフレーム８１に組み付けられる。
【０１３５】
第２の実施形態によれば、四台の室内ユニット５を柱８０に組み込む以前の段階において、四台の室内ユニット５が固定部材１２０ａ，１２０ｂを利用して一体構造物として組み立てられている。このため、四台の室内ユニット５を一台ずつサポートフレーム８１に組み付ける場合との比較において、室内ユニット５の相互の位置調整を容易に行えるとともに、位置調整が実行された四台の室内ユニット５を一度に柱８０に設置することができる。
【０１３６】
したがって、四台の室内ユニット５を柱８０に設置する際の作業性が向上する。
【０１３７】
［第３の実施形態］
図１７ないし図１９は、第３の実施形態を開示している。
【０１３８】
第３の実施形態は、サポートフレーム８１を柱８０の第１の面８０ａに取り付ける以前に、当該サポートフレーム８１に四台の室内ユニット５を固定するようにした点が第１の実施形態と相違している。
【０１３９】
図１７に示すように、四台の室内ユニット５は、第２のフレーム要素８６の上部構造体１０１に一列に並べた状態で固定されている。室内ユニット５が上部構造体１０１に固定される時点では、第２のフレーム要素８６は、支持ステー１１２を介して第１のフレーム要素８５に結合されている。
【０１４０】
本実施形態では、複数のサイドパネル１３１が予め第１のフレーム要素８５の縦桟９０ａ，９０ｂと第２のフレーム要素８６の縦桟１０２ａ，１０２ｂとの間、ならびに第１のフレーム要素８５の縦桟９５ａ，９５ｂと第２のフレーム要素８６の前側縦桟１０６ａ，１０６ｂとの間に跨るように、複数のねじ又はボルトでサポートフレーム８１に取り付けられている。
【０１４１】
さらに、複数のカバー８４もサポートフレーム８１の第１のフレーム要素８５に仮止めされている。
【０１４２】
図１８に示すように、四台の室内ユニット５、複数のカバー８４および複数のサイドパネル１３１が取り付けられたサポートフレーム８１は、柱８０の第１の面８０ａに沿うように起立した姿勢で第１の面８０ａに突き合わされる。この状態では、第１のフレーム要素８５の下部構造体８７を構成する横桟９１ａ，９１ｂが、第２のフレーム要素８６の下部構造体１００を構成する縦桟１０２ａ，１０２ｂの間から柱８０の周囲に露出されている。
【０１４３】
同様に、第１のフレーム要素８５の上部構造体８８を構成する横桟９６が、第２のフレーム要素８６の上部構造体１０１を構成する前側縦桟１０６ａ，１０６ｂの上端部の間から柱８０に周囲に露出されている。そのため、横桟９１ａ，９１ｂ，９６を夫々複数のねじ又はボルトを用いてカバー８４と共に柱８０の第１の面８０ａに固定する。
【０１４４】
この後、図１９に示すように、柱８０に沿って起立した状態にあるサポートフレーム８１にフロントパネル１３２、トップカバー１３３およびフィルタ１３４を取り付ける。これにより、四台の室内ユニット５を有する室内機アッセンブリ３の設置作業が完了する。
【０１４５】
第３の実施形態によれば、作業スペースＡとは別の場所でサポートフレーム８１そのものを組み立てることができるとともに、サポートフレーム８１に四台の室内ユニット５を取り付けることができる。
【０１４６】
このため、サポートフレーム８１の組み立て作業およびサポートフレーム８１に対する室内ユニット５の取り付け作業を容易に行うことができる。さらに、柱８０に対しサポートフレーム８１および室内ユニット５を一括して組み込むことが可能となり、作業性が向上する。
【０１４７】
［第４の実施形態］
図２０は、第４の実施形態を開示している。
【０１４８】
第４の実施形態では、室内機アッセンブリ３が二台の室内ユニット５を備えている。二台の室内ユニット５は、第２のフレーム要素８６の固定部材１２０ａ，１２０ｂに取り付けられている。室内ユニット５は、第２のフレーム要素８６の上部構造体１０１の高さ方向に沿う下半分の領域において、柱８０の高さ方向に並んでいる。
【０１４９】
本実施形態では、二台の室内ユニット５が上部構造体１０１の高さ方向に沿う下半分の領域に片寄っているので、固定部材１２０ａ，１２０ｂの高さ方向に沿う上半分の領域に他のフロントパネル１５０が取り付けられている。フロントパネル１５０は、上段の室内ユニット５とトップカバー１３３との間に位置するように固定部材１２０ａ，１２０ｂに取り付けられている。
【０１５０】
第４の実施形態では、上部構造体１０１の高さ方向に沿う上半分の領域に他のフロントパネル１５０を取り付けたが、フロントパネル１５０の代わりにフィルタ１３４を取り付けてもよい。
【０１５１】
［第５の実施形態］
図２１ないし図２３は、第５の実施形態を開示している。
【０１５２】
第５の実施形態に係る空気調和装置１は、柱８０の第１ないし第４の面８０ａ，８０ｂ，８０ｃ，８０ｄに第１ないし第４の室内機アッセンブリ３ａ，３ｂ，３ｃ，３ｄを設置した点が第１の実施形態と相違している。
【０１５３】
第１ないし第４の室内機アッセンブリ３ａ，３ｂ，３ｃ，３ｄは、夫々四台の室内ユニット５を備えている。さらに、第１ないし第４の室内機アッセンブリ３ａ，３ｂ，３ｃ，３ｄは、夫々第１の実施形態と同様のサポートフレーム８１を用いて柱８０の第１ないし第４の面８０ａ，８０ｂ，８０ｃ，８０ｄに支持されている。サポートフレーム８１を柱８０に取り付ける構成は、第１の実施形態と同様であるため、第１の実施形態と同一の参照符号を付して、その説明を省略する。
【０１５４】
図２１は、第１ないし第４の室内機アッセンブリ３ａ，３ｂ，３ｃ，３ｄを備えた空気調和装置１の配管系統を示している。室外機２に接続された液配管７は、第１の分岐ヘッダ４００を介して第１ないし第４の液分配管７ａ，７ｂ，７ｃ，７ｄに分岐されている。室外機２に接続されたガス配管８は、第２の分岐ヘッダ４０１を介して第１ないし第４のガス分配管８ａ，８ｂ，８ｃ，８ｄに分岐されている。第１ないし第４の液分配管７ａ，７ｂ，７ｃ，７ｄおよび第１ないし第４のガス分配管８ａ，８ｂ，８ｃ，８ｄは、個々に第１ないし第４の室内機アッセンブリ３ａ，３ｂ，３ｃ，３ｄに導かれている。
【０１５５】
第１ないし第４の液分配管７ａ，７ｂ，７ｃ，７ｄは、夫々三つのＹ形分岐ジョイント９ａ，９ｂ，９ｃで分岐された四本の液管１０ａ，１０ｂ，１０ｃ，１０ｄを有している。液管１０ａ，１０ｂ，１０ｃ，１０ｄは、夫々室内ユニット５に接続されている。
【０１５６】
同様に、第１ないし第４のガス分配管８ａ，８ｂ，８ｃ，８ｄは、夫々三つのＴ形分岐ジョイント１１ａ，１１ｂ，１１ｃで分岐された四本のガス管１２ａ，１２ｂ，１２ｃ，１２ｄを有している。ガス管１２ａ，１２ｂ，１２ｃ，１２ｄは、夫々室内ユニット５に接続されている。
【０１５７】
このため、室外機２で圧縮された冷媒は、第１ないし第４の室内機アッセンブリ３ａ，３ｂ，３ｃ，３ｄの室内ユニット５に分配されるとともに、室内ユニット５から吐出された冷媒が再び室外機２に戻されるようになっている。
【０１５８】
さらに、第１ないし第４の室内機アッセンブリ３ａ，３ｂ，３ｃ，３ｄは、夫々リモートコントローラ１３ａ，１３ｂ，１３ｃ，１３ｄを備えている。第１ないし第４の室内機アッセンブリ３ａ，３ｂ，３ｃ，３ｄでは、アッセンブリ毎にリモートコントローラ１３ａ，１３ｂ，１３ｃ，１３ｄにて室内ユニット５の運転／停止、温度設定、運転切り換え等の各種の操作が実行可能となっている。
【０１５９】
図２２および図２３に示すように、第１の室内機アッセンブリ３ａは、サポートフレーム８１を介して柱８０の第１の面８０ａに設置されている。第１の室内機アッセンブリ３ａが有する四台の室内ユニット５は、第１の面８０ａに沿うように柱８０の高さ方向に一列に並んでいる。さらに、第１の室内機アッセンブリ３ａに対応するサポートフレーム８１には、複数のサイドパネル１３１、フロントパネル１３２、トップカバー１３３、フィルタ１３４および巾木１３７が取り付けられている。
【０１６０】
第２の室内機アッセンブリ３ｂは、サポートフレーム８１を介して柱８０の第２の面８０ｂに設置されている。第２の室内機アッセンブリ３ｂが有する四台の室内ユニット５は、第２の面８０ｂに沿うように柱８０の高さ方向に一列に並んでいる。さらに、第２の室内機アッセンブリ３ｂに対応するサポートフレーム８１には、複数のサイドパネル１３１、フロントパネル１３２、トップカバー１３３、フィルタ１３４および巾木１３７が取り付けられている。
【０１６１】
第３の室内機アッセンブリ３ｃは、サポートフレーム８１を介して柱８０の第３の面８０ｃに設置されている。第３の室内機アッセンブリ３ｃが有する四台の室内ユニット５は、第３の面８０ｃに沿うように柱８０の高さ方向に一列に並んでいる。さらに、第３の室内機アッセンブリ３ｃに対応するサポートフレーム８１には、複数のサイドパネル１３１、フロントパネル１３２、トップカバー１３３、フィルタ１３４および巾木１３７が取り付けられている。
【０１６２】
第４の室内機アッセンブリ３ｄは、サポートフレーム８１を介して柱８０の第４の面８０ｄに設置されている。第４の室内機アッセンブリ３ｄが有する四台の室内ユニット５は、第４の面８０ｄに沿うように柱８０の高さ方向に一列に並んでいる。さらに、第４の室内機アッセンブリ３ｄに対応するサポートフレーム８１には、複数のサイドパネル１３１、フロントパネル１３２、トップカバー１３３、フィルタ１３４および巾木１３７が取り付けられている。
【０１６３】
このため、第１ないし第４の室内機アッセンブリ３ａ，３ｂ，３ｃ，３ｄが柱８０に設置された状態では、１６台の室内ユニット５のダクト部２４が柱８０を中心とする四方向に向けて放射状に突出されている。
【０１６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１６５】
例えば、基礎構造体は、建屋の柱に限らず、隣り合う柱の間に跨る梁あるいは筋交いであってもよい。
【０１６６】
さらに、基礎構造体は、建屋の骨格となる柱や梁に特定されるものではなく、室内機アッセンブリを支持するために建屋の床面から起立された専用の支柱あるいは建屋の床面から起立する壁面であってもよい。
【０１６７】
それとともに、基礎構造体の一例である柱にしても四角柱に限らず、例えばＨ形鋼、Ｉ形鋼で構成してもよいし、複数の形鋼を組み合わせた構成としてもよい。
【符号の説明】
【０１６８】
１…空気調和装置、５…室内ユニット、２１…空気熱交換器、２２…送風機、３２…吸込口、８０…基礎構造体（柱）、８０ａ，８０ｂ，８０ｃ，８０ｄ…第１ないし第４の面、８１…サポートフレーム、１３１，１３２，１３３，１３４…外装パネル（サイドパネル、フロントパネル、トップカバー、フィルタ）、２００…空気通路、Ａ…空調すべき空間（作業エリア）。
【図１】
2020118442.tif 000003
【図２】
2020118442.tif 000004
【図３】
2020118442.tif 000005
【図４】
2020118442.tif 000006
【図５】
2020118442.tif 000007
【図６】
2020118442.tif 000008
【図７】
2020118442.tif 000009
【図８】
2020118442.tif 000010
【図９】
2020118442.tif 000011
【図１０】
2020118442.tif 000012
【図１１】
2020118442.tif 000013
【図１２】
2020118442.tif 000014
【図１３】
2020118442.tif 000015
【図１４】
2020118442.tif 000016
【図１５】
2020118442.tif 000017
【図１６】
2020118442.tif 000018
【図１７】
2020118442.tif 000019
【図１８】
2020118442.tif 000020
【図１９】
2020118442.tif 000021
【図２０】
2020118442.tif 000022
【図２１】
2020118442.tif 000023
【図２２】
2020118442.tif 000024
【図２３】
2020118442.tif 000025
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
空調すべき空間の基礎構造体の少なくとも一つの面に取り付けられるサポートフレームと、
前記基礎構造体の前記面と向かい合い、かつ、前記基礎構造体に沿うように前記サポートフレームに支持され、冷媒と空気との間で熱交換を行なう熱交換器および送風機を有するとともに、熱交換用の空気を吸い込む吸込口が形成された複数の室内ユニットと、
前記サポートフレームに取り付けられ、前記室内ユニットと前記基礎構造体の前記面との間に前記空間から区画された空気通路を規定する複数の外装パネルと、
前記空気通路に臨むように設けられたフィルタと、を含み、
前記室内ユニットの前記吸込口が前記空気通路に開口され、前記室内ユニットの前記送風機が作動した状態では、前記空間の空気が前記フィルタを介して前記空気通路に吸い込まれる空気調和装置。
【請求項２】
前記サポートフレームは、前記基礎構造体の高さ方向に沿って延びているとともに、前記サポートフレームに複数の前記室内ユニットが前記高さ方向に一列に並んで支持された請求項１に記載の空気調和装置。
【手続補正２】
【補正対象書類名】明細書
【補正対象項目名】０００８
【補正方法】変更
【補正の内容】
【０００８】
実施形態によれば、空気調和装置は、サポートフレームと、複数の室内ユニットと、複数の外装パネルと、フィルタとを含んでいる。前記サポートフレームは、空調すべき空間の基礎構造体の少なくとも一つの面に取り付けられている。前記室内ユニットは、前記基礎構造体の前記面と向かい合い、かつ、前記基礎構造体に沿うように前記サポートフレームに支持され、冷媒と空気との間で熱交換を行なう熱交換器および送風機を有するとともに、熱交換用の空気を吸い込む吸込口が形成されている。前記外装パネルは、前記サポートフレームに取り付けられ、前記室内ユニットと前記基礎構造体の前記面との間に前記空間から区画された空気通路を規定する。前記フィルタは、前記空気通路に臨むように設けられている。前記室内ユニットの前記吸込口が前記空気通路に開口され、前記室内ユニットの前記送風機が作動した状態では、前記空間の空気が前記フィルタを介して前記空気通路に吸い込まれる。